(57)【要約】【課題】開始された球抜動作をパチンコ機の前側から止めることを図る。【解決手段】制御装置２が球払出許可状態を判定しているとともにアクチュエータ１６を払出制御していない状態において、人がパチンコ機１の前側から操作棒１９を球抜操作孔１８から挿入して球抜スイッチ２０の釦２１を押圧操作して球抜動作が開始された状態において、再び、人がパチンコ機１の前側から操作棒１９を球抜操作孔１８から挿入して球抜スイッチ２０の釦２１を押圧すると、開停処理手段２２が球抜スイッチ２０からのオン信号でアクチュエータ１６を停止制御し、スプロケット１５の球抜駆動が停止し、球抜動作を止めることができ、球抜動作中の球払出装置から払い出されている球が遊技店の床に散乱してしまう不都合はない。【選択図】        図１
2004195104.tif 000002
【特許請求の範囲】
【請求項１】
払出体による球を遊技者の側に払い出す球払出動作と遊技店の側に排出する球抜動作とをアクチュエータで行う一方、球抜動作を指示する球抜スイッチがパチンコ機に前側から操作可能に設けられたパチンコ機の球払出装置において、アクチュエータを電気的に制御する制御装置に、球抜スイッチが操作されるごとに球抜動作の開始と停止とを行う開停処理手段を備えたことを特徴とするパチンコ機の球払出装置。
【請求項２】
払出体による球を遊技者の側に払い出す球払出動作と遊技店の側に排出する球抜動作とをアクチュエータで行う一方、球抜動作を指示する球抜スイッチがパチンコ機に前側から操作可能に設けられたパチンコ機の球払出装置において、球抜動作停止を指示する球抜停止スイッチがパチンコ機に前側から操作可能に設けられたことを特徴とするパチンコ機の球払出装置。
【請求項３】
払出体による球を遊技者の側に払い出す球払出動作と遊技店の側に排出する球抜動作とをアクチュエータで行う一方、球抜動作を指示する球抜スイッチがパチンコ機に前側から操作可能に設けられたパチンコ機の球払出装置において、アクチュエータを電気的に制御する制御装置に、球抜動作が開始された場合に、球発射操作や入賞検出で球抜動作停止を指示する停止処理手段を備えたことを特徴とするパチンコ機の球払出装置。
【請求項４】
払出体が三叉路の交差点に配置されたスプロケットにより形成され、アクチュエータがスプロケットを回転駆動する１個のステップモータにより構成されたことを特徴とする請求項１−３のいずれかに記載のパチンコ機の球払出装置。
【発明の詳細な説明】
【０００１】
【発明の属する技術分野】
本発明はパチンコ機の球を遊技者の側に払い出す球払出動作と遊技店の側に排出する球抜動作とをアクチュエータで行う球払出装置に関する。
【０００２】
【従来の技術】
従来のパチンコ機の球払出装置は、パチンコ機の裏側に設けられた払出機構における三叉路の交点内に配置したスプロケットをステップモータのようなアクチュエータで一方向に回転駆動することで、三叉路における１つの通路ともう１つの通路とを使用して球をパチンコ機の裏側からパチンコ機の前側の受皿に払い出す球払出動作を行う一方、上記スプロケットをアクチュエータで他方向に回転駆動することで、上記１つの通路と上記以外の他方のもう１つの通路とを使用して球をパチンコ機の裏側から当該パチンコ機の設置されるパチンコ店の島と呼ばれるような遊技機設置設備に排出する球抜動作を行うようになっている一方、スプロケットよりも上流側の１つの通路に球有り状態および球切れ状態を検出する球切れ検出器が設けられている（例えば、特許文献１；２参照）。
【０００３】
【特許文献１】
特開２０００−２６２７００号公報（図３）
【特許文献２】
特開平１０−１５１８７号公報（第１頁、要約、第５頁段落番号００２０、図３、図４）
【０００４】
【発明が解決しようとする課題】
しかしながら、球抜動作はパチンコ機の前側において、操作者がパチンコ機の前面に設けられた操作孔から針金のような操作棒を挿入することで、球抜レバーを仲介させて球抜スイッチを操作するか、または、球抜スイッチを直接的に操作することで、アクチュエータを球抜動作方向に回転駆動する構造になっているため、球抜スイッチが操作されて球抜動作が開始されると、スプロケットより上流側に球が存在しなくなる球抜終了または制御装置への電源遮断でしか球抜動作を止めることができないという問題点があった。特に、制御装置への電源を遮断する場合、当該電源を遮断するための電源スイッチがパチンコ機の裏側に設けられているとともに、パチンコ機の前側構造体を前側に開いて当該電源スイッチをオフ操作しなければならないことから、前側構造体を開くのに伴い球抜動作中の球払出装置から払い出されている球が遊技店の床に散乱してしまう不都合があった。
【０００５】
そこで、本発明は、開始された球抜動作をパチンコ機の前側から止めることができるパチンコ機の球払出装置を提供するものである。
【０００６】
【課題を解決するための手段】
本発明にあっては、払出体による球を遊技者の側に払い出す球払出動作と遊技店の側に排出する球抜動作とをアクチュエータで行う一方、球抜指示を出力する球抜スイッチがパチンコ機に前側から操作可能に設けられたパチンコ機の球払出装置において、アクチュエータを電気的に制御する制御装置に球抜スイッチが操作されるごとに球抜動作の開始と停止とを行う開停処理手段を備えるか、または、球抜動作停止を指示する球抜停止スイッチがパチンコ機に前側から操作可能に設けられるか、または、アクチュエータを電気的に制御する制御装置に球抜動作が開始された場合に球発射操作や入賞検出で球抜動作停止を指示する停止処理手段を備えたことによって、開始された球抜動作をパチンコ機の前側から止めることができる。また、本発明にあっては、払出体が三叉路の交差点に配置されたスプロケットにより形成され、アクチュエータがスプロケットを回転駆動する１個のステップモータにより構成されれば、球払出動作と球抜動作との切り替えを容易に行うことができる。
【０００７】
【発明の実施の形態】
図１は第１実施形態に係るパチンコ機１の球払出装置を示す。図１において、パチンコ機１の裏側における球切れ検出器５はパチンコ機１の裏側における払出機構４のスプロケット１５よりも上流側の通路１２に１回の球払出動作で最大の設定賞球数を払い出すのに必要な球が存在するとして設定された位置に設けられる。パチンコ機１の裏側における制御装置２は電力供給で起動する。そして、球切れ検出器５が球を検出した球有り状態を表わす球有り信号（オン信号）を制御装置２に出力していると、制御装置２は当該球有り信号の入力で球払出許可状態と判定する。球切れ検出器５が球を検出していない球切れ状態を表わす球切れ信号（オフ信号）を制御装置２に出力していると、制御装置２は当該球切れ信号の入力で球払出禁止状態と判定する。よって、制御装置２が電力供給で起動し、パチンコ機１の裏側におけるタンク３に球が貯蔵され、球切れ検出器５が球を検出した球有り信号を制御装置２に出力し、パチンコ機１の前側における受皿６に球が入れられた状態において、パチンコ機１の前側におけるハンドルグリップと呼ばれるような球発射操作機構７が遊技者で操作されると、その操作量に応じてパチンコ機１の内部における球発射機構８が受皿６から供給された球を１個ずつパチンコ機１の内部における遊技主体である遊技盤９の遊技領域に向けて発射する。
【０００８】
遊技盤９の遊技領域から球が当該遊技領域に配された複数の入賞部品１０のいずれかに入賞し、その入賞した球を検出した入賞球検出器１１が入賞信号を制御装置２に出力する。制御装置２は入力信号が入力ポートの位置の違いで、どの入賞部品１０に対応する入賞球検出器１１からの入賞信号であるかを識別した後、払出機構４の３つの通路１２；１３；１４からなる三叉路の交差点に配置されたスプロケット１５に連結されたステップモータのようなアクチュエータ１６を払出制御する。これによって、スプロケット１５が球払出駆動（矢印Ｘ１方向に回転駆動）するのに伴い、払出機構４が上記入賞という遊技の結果に対する賞として球を受皿６に払い出す。スプロケット１５は回転体の周面から回転中心方向に１個の球を収納可能に窪む複数の切欠部を周方向に等間隔を隔てて備えた払出体である。
【０００９】
この払出機構４における球払出動作の開始に伴い、タンク３からの球が三叉路における１つの通路１２からもう１つの通路１３に移動する過程において、払出機構４の計数検出器１７が当該通路１３を通過する球を検出して計数信号を制御装置２に出力する。制御装置２は計数信号をカウントアップし、そのカウントアップした検出払出数が上記入賞に対する払い出すべき設定払出数と一致する場合に、または、計数信号で上記入賞に対する払い出すべき設定払出数をカウントダウンし、カウントダウンした値が「０」になる場合に、アクチュエータ１６を停止制御する。
【００１０】
パチンコ機１は前面に球抜操作孔１８を備える。そして、球切れ検出器５から球有り信号が制御装置２に入力され、制御装置２が球払出許可状態を判定しているとともにアクチュエータ１６を払出制御していない状態において、人がパチンコ機１の前側から操作棒１９を球抜操作孔１８からパチンコ機１の内部に設置された球抜スイッチ２０の釦２１を押圧操作すると、球抜スイッチ２０が球抜指示を表わす球抜信号（オン信号）を制御装置２に出力する。上記釦２１への押圧操作が解除されると、球抜スイッチ２０が球抜信号の出力停止を意味する球抜指示無しを表わすオフ信号を制御装置２に出力する。
【００１１】
とりわけ、本実施形態の場合、人が誤ってパチンコ機１の前側から操作棒１９を球抜操作孔１８から挿入して球抜スイッチ２０の釦２１を押圧操作したことで、球抜動作が開始された場合、当該球抜動作をパチンコ機１の前側から適切に止められることが重要な点である。これを達成するために、制御装置２はマイクロコンピュータがＲＯＭに格納されたプログラムで動作することで具現化される開停処理手段２２を備える。開停処理手段２２は球抜スイッチ２０からのオン・オフ信号の入力を監視し、球抜スイッチ２０が人によって操作されるごとにアクチュエータ１６に球抜動作の開始と停止とを順次繰り返す指示を出力する。
【００１２】
要するに、本実施形態の構成によれば、制御装置２が開停処理手段２２を備えているので、制御装置２が球払出許可状態を判定しているとともにアクチュエータ１６を払出制御していない状態において、人がパチンコ機１の前側から操作棒１９を球抜操作孔１８から挿入して球抜スイッチ２０の釦２１を１回押圧操作すると、開停処理手段２２は球抜スイッチ２０からのオン信号でアクチュエータ１６を球抜制御する。これによって、スプロケット１５が球抜駆動（矢印Ｘ２方向に回転駆動）するのに伴い、タンク３からの球が三叉路における１つの通路１２からもう１つの通路１４を経由して遊技機設置設備に排出される。
【００１３】
この球抜動作が開始されるとともに、制御装置２が球払出許可状態を判定している状態において、開始された球抜動作を停止する場合には、再び、人がパチンコ機１の前側から操作棒１９を球抜操作孔１８から挿入して球抜スイッチ２０の釦２１を１回押圧すると、開停処理手段２２が球抜スイッチ２０からのオン信号でアクチュエータ１６を停止制御し、スプロケット１５の球抜駆動が停止する。その後、制御装置２が球払出許可状態を判定している状態において、停止された球抜動作を開始する場合には、再び、人がパチンコ機１の前側から操作棒１９を球抜操作孔１８から挿入して球抜スイッチ２０の釦２１を１回押圧すると、開停処理手段２２が球抜スイッチ２０からのオン信号でアクチュエータ１６を球抜制御し、スプロケット１５が球抜駆動する。さらに、制御装置２が球払出許可状態を判定している状態において、開始された球抜動作を停止する場合には、再び、人がパチンコ機１の前側から操作棒１９を球抜操作孔１８から挿入して球抜スイッチ２０の釦２１を１回押圧すると、開停処理手段２２が球抜スイッチ２０からのオン信号でアクチュエータ１６を停止制御し、スプロケット１５の球抜駆動が停止する。
【００１４】
このように、制御装置２が球払出許可状態を判定しているとともにアクチュエータ１６を払出制御していない状態において、開停処理手段２２は球抜スイッチ２０からのオン信号が入力されるたびにアクチュエータ１６に対する球抜動作の開始と停止との指示を繰り返す。よって、パチンコ機１の前側構造体をあけることなく前側から操作棒１９を球抜操作孔１８から挿入して球抜スイッチ２０の押圧操作を行うたびに、アクチュエータ１６の球抜動作の開始と停止とを制御することができるので、人が誤ってパチンコ機１の前側から操作棒１９を球抜操作孔１８から挿入して球抜スイッチ２０を操作して球抜動作を開始させた場合でも、再び、人がパチンコ機１の前側構造体をあけることなく前側から操作棒１９を球抜操作孔１８から挿入して球抜スイッチ２０を操作すれば、球抜動作を止めることができ、球抜動作中の球払出装置から払い出されている球が遊技店の床に散乱してしまう不都合もなく、品質信頼性を向上することができる。
【００１５】
図２は第２実施形態に係るパチンコ機１の球払出装置を示す。図２ではパチンコ機１は前面に停止操作孔２５を備え、人がパチンコ機１の前側から操作棒１９を停止操作孔２５からパチンコ機１の内部に設置された球抜停止スイッチ２６の釦２７を押圧操作すると、球抜停止スイッチ２６が球抜停止指示を表わす球抜停止信号（オン信号）を制御装置２に出力する。上記釦２７への押圧操作が解除されると、球抜停止スイッチ２６が球抜停止信号の出力停止を意味する球抜停止指示無しを表わすオフ信号を制御装置２に出力する。要するに、球抜動作停止を指示する球抜停止スイッチ２６がパチンコ機１に前側から操作可能に設けられているので、人が誤ってパチンコ機１の前側から操作棒１９で球抜スイッチ２０を操作して球抜動作を開始させた場合には、人がパチンコ機１の前側構造体をあけることなく前側から操作棒１９を停止操作孔２５から挿入して球抜停止スイッチ２６を操作すれば、球抜動作を止めることができる。図２の制御装置２では図１の開停処理手段２２に代えて、球抜スイッチ２０のオン信号でアクチュエータ１６の球抜動作を開始するとともに球抜停止スイッチ２６のオン信号でアクチュエータ１６の球抜動作を停止する相互に相反するスイッチによる開停処理手段を備えればよい。
【００１６】
図３は第３実施形態に係るパチンコ機１の球払出装置を示す。図３の制御装置２では図１の開停処理手段２２や図２の球抜停止スイッチ２６による開停処理手段に代えて、停止処理手段２８を備え、停止処理手段２８は球抜動作が開始された場合に球発射操作や入賞検出で球抜動作停止を指示する。
【００１７】
つまり、図３のａ図に示すように、パチンコ機１における遊技盤９を装着した前側構成体３０が閉じられているとともに、前側構成体３０に遊技盤９の前側を覆うように設けられたガラスのような透過性パネル３１が閉じらた状態において、人がパチンコ機１の前側から操作棒１９で球抜スイッチ２０を操作して球抜動作を開始させた場合、開始した球抜動作を停止するには、前側構成体３０および透過性パネル３１が閉じられたままの状態で、人がパチンコ機１の球発射操作機構７に手を触れることで、球発射操作機構７における人の接触を感知する構造体（タッチセンサ）がタッチ信号を制御装置２に出力したり、または、人がパチンコ機１の球発射操作機構７を操作することで、球発射操作機構７における人の操作量を出力する構造体（発射ボリューム）が操作量を制御装置２に出力したりすると、停止処理手段２８がタッチ信号や操作量などによる球発射操作でアクチュエータ１６に球抜動作停止を指示する。
【００１８】
また、図３のａ図に示すように、パチンコ機１における遊技盤９を装着した前側構成体３０が閉じられているとともに、前側構成体３０に遊技盤９の前側を覆うように設けられたガラスのような透過性パネル３１が閉じらた状態において、人がパチンコ機１の前側から操作棒１９で球抜スイッチ２０を操作して球抜動作を開始させた場合、開始した球抜動作を停止するには、図３のｂ図に示すように、前側構成体３０は閉じたまま、人が透過性パネル３１を開いて入賞部品１０に球を入れたり入賞部品１０の入賞口から操作棒１９を入賞部品１０の内部に挿入して入賞球検出器１１を操作したりすると、入賞球検出器１１が入賞信号を制御装置２に出力すると、停止処理手段２８がアクチュエータ１６に入賞信号による入賞検出で球抜動作停止を指示する。
【００１９】
アクチュエータ１６が三叉路の交差点に配置されたスプロケット１５を回転駆動する１個のステップモータにより構成されているので、ステップモータの正転（矢印Ｘ１方向の回転）と逆転（矢印Ｘ２方向の回転）とに駆動することで、球払出動作と球抜動作との切り替えを容易に行うことができる。
【００２０】
図示は省略するが、スプロケット１５に爪車を一緒に回転するように設け、電磁ソレノイドによるアクチュエータで動作する爪が爪車に係合することで球払出を停止し、当該アクチュエータの動作で爪が爪車から解除することで球払出を開始する形態とし、このアクチュエータが球抜スイッチ２０のオン動作を契機とする制御装置２で制御されれば、同様に適用することができる。
【図面の簡単な説明】
【図１】第１実施形態に係るパチンコ機の球払出装置を示す模式図。
【図２】第２実施形態に係るパチンコ機の球払出装置を示す模式図。
【図３】第３実施形態に係るパチンコ機の球払出装置であって、ａ図は前側構成体および透過性パネルが閉じられた正面図、ｂ図は前側構成体が閉じられているとともに透過性パネルが開かれた正面図。
【符号の説明】
１  パチンコ機
２  制御装置
４  払出機構
１２  通路
１３  通路
１４  通路
１５  スプロケット
１６  アクチュエータ
１７  計数検出器
１８  球抜操作孔
１９  操作棒
２０  球抜スイッチ
２２  開停処理手段
２５  停止操作孔
２６  球抜停止スイッチ
２８  停止処理手段
３０  前側構成体
３１  透過性パネル
【図１】
2004195104.tif 000003
【図２】
2004195104.tif 000004
【図３】
2004195104.tif 000005